(57)【要約】【課題】ＣＴガントリとＰＥＴガントリとを１つの外装ケース内に収容して近接配置するとともに、ＣＴガントリとＰＥＴガントリとの空冷を効率良く行なう。【解決手段】ＰＥＴ−ＣＴ装置において、ＣＴガントリ４及びＰＥＴガントリ５を収容する外装カバー６と、外装カバー６に設けられてＣＴガントリ４を空冷する空気が外装カバー６内に流入する第１吸気口１６と、第１吸気口１６から流入した空気を外装カバー６外に排気する第１排気ファン１７と、外装カバー６に設けられてＰＥＴガントリ５を空冷する空気が外装カバー６内に流入する第２吸気口１８と、第２吸気口１８から流入した空気を複数のＰＥＴ検出器１０に導く案内部２０と、第２吸気口１８から流入した空気を外装カバー６外に排気する第２排気ファン１９と、ＣＴガントリ４とＰＥＴガントリ５との間に配置されてＣＴガントリ４側からＰＥＴガントリ５側への熱の伝わりを阻止する仕切部２２とを備える。【選択図】    図１
2010099396.tif 000002
【特許請求の範囲】
【請求項１】
Ｘ線管とＸ線検出器とを有するＣＴガントリと、
リング状に配列された複数のＰＥＴ検出器を有するＰＥＴガントリと、
前記ＣＴガントリと前記ＰＥＴガントリとを収容する外装カバーと、
前記外装カバーに設けられ、前記ＣＴガントリを空冷する空気が前記外装カバー内に流入する第１吸気口と、
前記第１吸気口から流入して前記ＣＴガントリを空冷した空気を前記外装カバー外に排気する第１排気ファンと、
前記外装カバーに設けられ、前記ＰＥＴガントリを空冷する空気が前記外装カバー内に流入する第２吸気口と、
前記外装カバー内に設けられ、前記第２吸気口から流入した空気を複数の前記ＰＥＴ検出器に導く案内部と、
前記第２吸気口から流入して前記ＰＥＴガントリを空冷した空気を前記外装カバー外に排気する第２排気ファンと、
前記ＣＴガントリと前記ＰＥＴガントリとの間に配置され、前記ＣＴガントリ側から前記ＰＥＴガントリ側への熱の伝わりを阻止する仕切部と、
を備えることを特徴とするＰＥＴ−ＣＴ装置。
【請求項２】
前記ＰＥＴ検出器は被検体が挿入されるトンネル部の周囲に配置され、前記第２吸気口は前記トンネル部の周囲の３６０°の範囲に形成されていることを特徴とする請求項１記載のＰＥＴ−ＣＴ装置。
【請求項３】
前記外装カバー内に、前記ＰＥＴガントリを空冷した空気が前記第２吸気口から流入した空気に混合するように回り込むことを阻止する回り込み阻止部を備えることを特徴とする請求項１又は２記載のＰＥＴ−ＣＴ装置。
【発明の詳細な説明】
【技術分野】
【０００１】
本発明は、ＰＥＴ−ＣＴ装置に関し、特に、ＣＴガントリとＰＥＴガントリとを１つの外装カバー内に収容したＰＥＴ−ＣＴ装置に関する。
【背景技術】
【０００２】
ＰＥＴ（ポジトロン・エミッション・トモグラフィー）検査は、癌の早期発見のための手法として有用なものであるが、このＰＥＴ検査により得られるＰＥＴ画像は、核種（ポジトロン放出性核種）の集積、分布状態を表わすものであり、核種の集積、分布が人体内組織のどこに存在するかを示すものではない。そこで、人体内の組織の形状を求めるためにＸ線吸収係数の分布を画像化したＣＴ画像を得るＣＴ装置を使用し、ＰＥＴ画像とＣＴ画像とを重ね合わせて合成した融合画像を観察することにより精密な癌の診断を行なうＰＥＴ−ＣＴ装置が知られている（例えば、特許文献１参照）。
【特許文献１】特開２００６−３４６０５６号公報
【発明の開示】
【発明が解決しようとする課題】
【０００３】
しかしながら、前述のＰＥＴ−ＣＴ装置は、ＰＥＴガントリを外装カバー内に収容した装置と、ＣＴガントリを外装カバー内に収容した装置とを隣接させて配置した構成である。このため、ＰＥＴガントリとＣＴガントリとの間隔が大きくなり、ＰＥＴ画像とＣＴ画像とを得るために行なう寝台の移動距離が大きくなる。寝台の移動距離が大きくなると、ＰＥＴ画像とＣＴ画像とを重ね合わせた場合における画像のズレが発生しやすくなり、ＰＥＴ−ＣＴ装置による診断精度が低下する。
【０００４】
このようなＰＥＴ画像とＣＴ画像とのズレの発生を抑制して診断精度を高めるためには、ＰＥＴガントリとＣＴガントリとを1つの外装カバー内に近接させて収容することが考えられる。
【０００５】
しかし、ＣＴガントリはＸ線管を有し、このＸ線管からは高温が発せられる。一方、ＰＥＴガントリはリング状に配置された複数のＰＥＴ検出器を有しており、ＰＥＴガントリの検出精度を高めるためには、ＰＥＴ検出器の温度上昇を抑えるとともに各ＰＥＴ検出器の温度のばらつきを抑えることが必要である。
【０００６】
このため、１つの外装カバー内にＣＴガントリとＰＥＴガントリとを収容することは困難である。
【０００７】
なお、液冷方式を採用すれば、ＣＴガントリとＰＥＴガントリとを１つの外装カバー内に収容してもこれらのＣＴガントリとＰＥＴガントリとを効率良く冷却することが可能になるが、液冷のためのチラーの設置コストや液冷を継続するための維持コストが大きくなる。
【０００８】
本発明はこのような課題を解決するためになされたもので、その目的は、ＣＴガントリとＰＥＴガントリとを１つの外装ケース内に収容して近接配置するとともにＣＴガントリとＰＥＴガントリとを効率良く空冷し、診断精度の向上を図ることができるＰＥＴ−ＣＴ装置を提供することである。
【課題を解決するための手段】
【０００９】
請求項１記載の発明の特徴は、ＰＥＴ−ＣＴ装置において、Ｘ線管とＸ線検出器とを有するＣＴガントリと、リング状に配列された複数のＰＥＴ検出器を有するＰＥＴガントリと、前記ＣＴガントリと前記ＰＥＴガントリとを収容する外装カバーと、前記外装カバーに設けられ、前記ＣＴガントリを空冷する空気が前記外装カバー内に流入する第１吸気口と、前記第１吸気口から流入して前記ＣＴガントリを空冷した空気を前記外装カバー外に排気する第１排気ファンと、前記外装カバーに設けられ、前記ＰＥＴガントリを空冷する空気が前記外装カバー内に流入する第２吸気口と、前記外装カバー内に設けられ、前記第２吸気口から流入した空気を複数の前記ＰＥＴ検出器に導く案内部と、前記第２吸気口から流入して前記ＰＥＴガントリを空冷した空気を前記外装カバー外に排気する第２排気ファンと、前記ＣＴガントリと前記ＰＥＴガントリとの間に配置され、前記ＣＴガントリ側から前記ＰＥＴガントリ側への熱の伝わりを阻止する仕切部と、を備えることである。
【発明の効果】
【００１０】
本発明によれば、ＣＴガントリとＰＥＴガントリとを１つの外装ケース内に収容して近接配置するとともにＣＴガントリとＰＥＴガントリとを効率良く空冷し、診断精度の向上を図ることができる。
【発明を実施するための最良の形態】
【００１１】
以下、本発明の一実施の形態を図面を用いて説明する。図１は、医療用診断装置を示すブロック図であり、この医療用診断装置は、ＰＥＴ−ＣＴ装置１と、寝台装置２と、制御装置３とにより構成されている。
【００１２】
ＰＥＴ−ＣＴ装置１は、ＣＴガントリ４と、ＰＥＴガントリ５と、これらのＣＴガントリ４及びＰＥＴガントリ５を収容する外装カバー６とを備えている。ＰＥＴ−ＣＴ装置１には、寝台装置２の後述する天板１５上に載せられた被検体Ｐが天板１５と供に挿入されるトンネル部７が形成されている。このトンネル部７は、ＣＴガントリ４の中心部とＰＥＴガントリ５の中心部とを連続して貫通している。
【００１３】
ＣＴガントリ４は、Ｘ線を照射するＸ線管８と、Ｘ線管８から照射された後に被検体Ｐを透過したＸ線を検出するＸ線検出器９とを備え、これらのＸ線管８とＸ線検出器９とはリング形状の保持体（図示せず）に保持されている。また、Ｘ線管８とＸ線検出器９とは、トンネル部７を挟んで対向する位置に配置されている。Ｘ線管８とＸ線検出器９とを保持する保持体はトンネル部７の周囲に回転可能に設けられ、Ｘ線管８からＸ線を照射する被検体Ｐの診断時には、Ｘ線管８とＸ線検出器９とが保持体と共にトンネル部７の周りを回転する。
【００１４】
ＰＥＴガントリ５は、被検体Ｐに投与されたポジトロン放出性核種から放射されるγ線を検出する複数のＰＥＴ検出器１０を備えている。複数のＰＥＴ検出器１０は、トンネル部７の周囲にリング状に配置され、図示しない内部カバーにより覆われている。
【００１５】
外装カバー６は、ＣＴガントリ４側を覆うフロントカバー１１と、ＰＥＴガントリ５側を覆うリアカバー１２と、フロントカバー１１とリアカバー１２との間の部分を覆うトップカバー１３と、トンネル部７の周面を覆うトンネル部カバー１４とにより形成されている。
【００１６】
寝台装置２は、ＰＥＴ−ＣＴ装置１におけるフロントカバー１１側に配置されており、被検体Ｐを載せる天板１５、天板１５を水平方向にスライドさせる駆動機構（図示せず）を有している。被検体Ｐの診断時には駆動機構が駆動され、被検体Ｐを載せた天板１５が被検体Ｐと共にトンネル部７内に挿入される。
【００１７】
制御装置３は、被検体Ｐの診断時において医療用診断装置の各部を制御する部分であり、キーボードなどの入力操作部と、入力操作部からの入力操作に基づく制御信号を出力するコントローラ等を備えている。コントローラから制御信号が出力されることにより、例えば、天板１５が水平方向にスライドされ、ＣＴガントリ４とＰＥＴガントリ５とが駆動される。ＣＴガントリ４が駆動されることによりＣＴ画像が得られ、ＰＥＴガントリ５が駆動されることによりＰＥＴ画像が得られ、これらのＣＴ画像とＰＥＴ画像とを重ね合わせて診断用の融合画像が生成される。
【００１８】
ＰＥＴ−ＣＴ装置１には空冷機構が設けられており、この空冷機構について説明する。フロントカバー１１の下部には第１吸気口１６が形成され、この第１吸気口１６からはＣＴガントリ４を空冷する空気が外装カバー６内のＣＴガントリ４に向けて流入する。トップカバー１３の天井部分であってＣＴガントリ４の上方に位置する部分には第１ファン１７が設けられ、この第１ファン１７が駆動されることにより第１吸気口１６から空気が流入し、流入した空気がＣＴガントリ４を空冷し、ＣＴガントリ４を空冷した空気が外装カバー６外に排気される。
【００１９】
リアカバー１２の正面には複数の第２吸気口１８が形成され、これらの第２吸気口１８からはＰＥＴガントリ５を空冷する空気が外装カバー６内のＰＥＴガントリ５に向けて流入する。なお、第２吸気口１８は、トンネル部７の周囲の３６０°の範囲に等間隔で配列されている。トップカバー１３の天井部分であってＰＥＴガントリ５の上方に位置する部分には第２ファン１９が設けられ、この第２ファン１９が駆動されることにより第２吸気口１８から空気が流入し、流入した空気がＰＥＴガントリ５を空冷し、ペットガントリ５を空冷した空気が外装カバー６外に排気される。
【００２０】
リアカバー１２の内側には、第２吸気口１８から流入した空気をリング状に配列された複数のＰＥＴ検出器１０に対してほぼ均等に導く案内部２０が取付けられている。この案内部２０は、図３に示すように、第２吸気口１８側に位置してトンネル部７を囲むように位置する小径の円筒部２０ａと、ＰＥＴ検出器１０側に位置してトンネル部７を囲むように位置する大径の円筒部２０ｂと、これらの円筒部２０ａ、２０ｂを連結する複数の連結部２０ｃとにより形成されている。
【００２１】
さらに、リアカバー１２の内側には、リアカバー１２の上方側に位置する回り込み阻止部２１が取付けられている。この回り込み阻止部２１は、ＰＥＴガントリ５を空冷した空気が連結部２０の間から回り込んで第２吸気口１８から流入した空気に混合することを阻止する。
【００２２】
また、外装カバー６内には、ＣＴガントリ４とＰＥＴガントリ５との間に配置された仕切部である仕切板２２が取付けられている。この仕切板２２は、ＣＴガントリ４を空冷した空気とＰＥＴガントリ５を空冷した空気とが混合することを阻止するとともに、ＣＴガントリ４側からＰＥＴガントリ５側への熱の伝わりを阻止する。
【００２３】
このような構成において、この医療用診断装置により被検体Ｐの診断を行う場合には、第１排気ファン１７と第２排気ファン１９とが駆動される。
【００２４】
第１排気ファン１７が駆動されることにより、フロントカバー１１に形成された第１吸気口１６から外装カバー６内に空気が流入し、この空気はＣＴガントリ４を空冷した後に外装カバー６外に排気される。
【００２５】
また、第２排気ファン１９が駆動されることにより、リアカバー１２に形成された第２吸気口１８から外装カバー６内に空気が流入し、この空気はＰＥＴガントリ５を空冷した後に外装カバー６外に排気される。
【００２６】
ここで、外装カバー６内には仕切板２２が設けられており、この仕切板２２によって、発熱量の大きいＸ線管８を空冷することにより温度が上昇したＣＴガントリ４側の空気がＰＥＴガントリ５側に入りこむことが阻止され、及び、ＣＴガントリ４側の熱がＰＥＴガントリ５側に伝わることが阻止される。このため、ＣＴガントリ４とＰＥＴガントリ５とを同じ外装カバー６内に設置してこれらのＣＴガントリ４とＰＥＴガントリ５とを近接させて配置しても、ＰＥＴガントリ５がＣＴガントリ４側の熱の影響を受けることを防止することができ、ＣＴガントリ４の影響によるＰＥＴガントリ５の温度上昇を抑えることができる。
【００２７】
また、外装カバー６内のリアカバー１２側には案内部２０が設けられ、第２吸気口１８から流入した空気が複数のＰＥＴ検出器１０に略均等に当たるように案内部２０により導かれる。このため、各ＰＥＴ検出器１０が略均一な温度に維持され、各ＰＥＴ検出器１０の温度のばらつきを抑えることができるとともに、ＰＥＴガントリ５の検出精度を向上させることができる。
【００２８】
また、外装カバー６内のリアカバー１２側の上方側には回り込み阻止部２１が設けられており、一旦ＰＥＴガントリ５を空冷した空気が隣合う連結部２０ｃの間から回り込んで第２吸気口１８から流入した空気中に混合されることが防止される。これにより、ＰＥＴガントリ５を空冷した空気の排気を確実に行うことができ、ＰＥＴガントリ５の空冷効果をさらに高めることができる。
【００２９】
したがって、ＣＴガントリ４とＰＥＴガントリ５とを１つの外装カバー６内に収容して近接配置した場合でも、ＣＴガントリ４とＰＥＴガントリ５とを空冷することができ、特に、ＰＥＴガントリ５の空冷をＣＴガントリ４の熱の影響を受けることなく行なうことができ、ＰＥＴ−ＣＴ装置１による診断精度の向上を図ることができる。
【図面の簡単な説明】
【００３０】
【図１】本発明の一実施の形態の医療用診断装置の全体構成を示すブロック図である。
【図２】ＰＥＴ−ＣＴ装置のリアカバー側を示す正面図である。
【図３】第２吸気口から流入した空気をＰＥＴ検出器に導く案内部を示す斜視図である。
【符号の説明】
【００３１】
１      ＰＥＴ−ＣＴ装置
４      ＣＴガントリ
５      ＰＥＴガントリ
６      外装カバー
７      トンネル部
８      Ｘ線管
９      Ｘ線検出器
１０      ＰＥＴ検出器
１６      第１吸気口
１７      第１排気ファン
１８      第２吸気口
１９      第２排気ファン
２０      案内部
２１      回り込み阻止部
２２      仕切板（仕切部）
【図１】
2010099396.tif 000003
【図２】
2010099396.tif 000004
【図３】
2010099396.tif 000005